(57)【特許請求の範囲】
【請求項１】
天井、壁等の対象物に取り付けられる光源と、その光源からの光を拡散させるために前記光源を覆うように配置される照明カバーであって、光を通すための大きい開口を形成したフレーム枠とその開口の光源とは反対側の端部を塞ぐように取り付けられた光拡散部材を備えた照明カバーと、前記対象物に取り付けられた固定フレームと、前記照明カバーのフレーム枠を、該フレーム枠の一端近傍を支点として旋回可能に、前記固定フレームに連結するヒンジと、前記フレーム枠を、前記支点からフレーム枠の他端方向に離れた位置で前記固定フレームに着脱可能に連結する開閉係止留め具を有する照明装置であって、前記ヒンジは、支点Ｏを中心に互いに旋回可能に連結された第一ヒンジ板と第二ヒンジ板を有し、前記第一ヒンジ板は前記固定フレームに固定され、前記第二ヒンジ板は前記フレーム枠に固定されると共に、前記第一ヒンジ板及び第二ヒンジ板は前記フレーム枠の内側に配置されており、更に、前記第一ヒンジ板は、前記フレーム枠を開方向に旋回させた際に前記フレーム枠が通過するのを許容する切り欠きを備えると共にその切り欠きを除いた領域ではヒンジの支点からその支点に近い側のフレーム端部に到る領域を含む支点近傍において前記フレーム枠と固定フレームとの間を遮光する形状を有し、前記第二ヒンジ板は前記フレーム枠を閉位置とした時に前記第一ヒンジ板の切り欠きを塞いで遮光する形状を有しており、第一ヒンジ板と第二ヒンジ板によって光遮蔽機能を備えた光遮蔽構造を構成していることを特徴とする照明装置。
【請求項２】
前記照明カバーが、複数個、互いに近接して且つ同一平面になるように配置されていることを特徴とする請求項１記載の照明装置。
【請求項３】
前記照明カバーは前記フレーム枠に、少なくとも前記ヒンジの支点からその支点に近い側のフレーム端部に到る領域を除いて、隣接したフレーム枠との間を遮光する可撓性板状の遮光部材を取り付けていることを特徴とする請求項２記載の照明装置。
【請求項４】
前記第一ヒンジ板の端部近傍に、第一ヒンジ板に直角に且つフレーム枠と固定フレームの間に位置するように補助遮光板を設けていることを特徴とする請求項１から３のいずれか１項記載の照明装置。
【請求項５】
前記ヒンジが、前記第一ヒンジ板と第二ヒンジ板を支点Ｏを中心として旋回可能に連結するピンを有しており、該ピンを前記第一ヒンジ板に固定すると共に前記第二ヒンジ板に形成しているピン穴に回転可能に挿入しており、更に、前記ピンには、前記第二ヒンジ板のピン穴に挿入される領域の側面に平坦面を形成してピンの直径よりも狭くした部分を形成すると共に、前記第二ヒンジ板には、前記ピン穴から外部に通じるよう、前記ピンの狭くした部分を通過させうる幅の溝を形成し、該溝を通して前記ピンを抜くことで第一ヒンジ板と第二ヒンジ板とを分離可能としたことを特徴とする請求項１から４のいずれか１項記載の照明装置。
【請求項６】
前記照明カバーのフレーム枠の内面を、該フレーム枠の開口の光源とは反対側の端部に形成する照明面に対してほぼ直角な平面と、それに続いて照明面に向かって広がる形状の傾斜面で構成したことを特徴とする請求項１から５のいずれか１項記載の照明装置。
【請求項７】
前記照明カバーのフレーム枠の内面を、該フレーム枠の開口の光源とは反対側の端部に形成する照明面に対してほぼ直角な平面と、照明面に向かって広がる形状の傾斜面と、前記平面と傾斜面とを滑らかに結ぶ曲面とで構成したことを特徴とする請求項１から５のいずれか１項記載の照明装置。
【請求項８】
前記照明カバーのフレーム枠の内面を、該フレーム枠の開口の光源側の端部から、光源とは反対側の端部に形成する照明面に向かって滑らかに広がる形状の曲面若しくは平面で構成したことを特徴とする請求項１から５のいずれか１項記載の照明装置。
【発明の詳細な説明】
【０００１】
【発明の属する技術分野】
本発明は、天井や壁面等に設けられる照明装置に関し、特に、平面状に配置された複数の蛍光管等の光源からの光を拡散して広い平面から柔らかい照明光を生じさせるために使用するのに好適な照明装置に関する。
【０００２】
【従来の技術】
従来より、ギャラリー等において、天井面に取り付けた多数の蛍光管を、蛍光管が視認されない柔らかい面照明にすることが望まれており、特に近年天井面の広範囲に渡り、全面一体型照明として機能できる照明装置が求められている。この要求に対し、従来の対応の一つとして、矩形状に形成した金属製のフレーム枠にガラスクロス等の透光性無機質繊維布を主体とする透光性の不燃シートを張って照明カバーとして用いた照明装置が提案されている。
【０００３】
【発明が解決しようとする課題】
しかしながら、この照明カバーを広い天井面を覆うように多数配置するには、天井面に格子状の枠を取り付け、その枠に照明カバーを取り付ける構造となるため、照明カバーの間隔をあまり狭くすることができず、このため照明カバーの間に発光しない幅の広い領域が存在することとなり、天井の広範囲に渡る全面一体照明を行おうとしても、各照明カバー間の領域が天井に格子状に黒い太い線となって現れてしまい、外観を悪くするという問題があった。また、蛍光灯が切れた時などには照明カバーを取り外す必要があるが、その取り外し作業が面倒であるという問題もあった。特に、照明カバーを２ｍ×２ｍというように大型化した場合、その取り扱いが一層困難となり、１個の照明カバーの着脱を一人ではできないという問題もあった。
【０００４】
本発明はかかる問題点に鑑みてなされたもので、天井、壁等の対象物に取り付けた光源を覆う照明カバーを容易に開閉でき、また、多数の照明カバーを並べた際に、光を照射しない黒い線を極力細くし、ほとんど気にならないようにすることの可能な照明装置を提供することを目的とする。
【０００５】
【課題を解決するための手段】
本発明は、光源からの光を拡散させるための照明カバーのフレーム枠を、天井、壁等の対象物に対して、光遮蔽機能を備えたヒンジを用いてフレーム枠の一端近傍を支点として旋回可能に保持させ、且つその支点からフレーム枠の他端方向に離れた位置を着脱可能な開閉係止留め具で連結する構成としたものである。この構成により、照明カバーを所定位置に取り付けた状態で開閉係止留め具を外すことでその照明カバーを一端近傍の支点を中心として旋回させて開くことができ、また、逆に照明カバーを開いた状態から所定位置に旋回させて戻し、開閉係止留め具を係止させることで照明カバーを所定位置に取り付けることができ、一人でも容易に照明カバーを開閉できる。また、照明カバーの旋回中心を端部近傍としたことで、照明カバーを大きく開くことができると共にフレーム枠の支点を配置した一端の移動量を小さくでき、複数の照明カバーを並べて面照明を形成する際に、隣接した照明カバー間の隙間をきわめて小さくでき、照明カバー間の発光しない領域（黒い線）をきわめて小さくして、見栄えの良い全面一体形照明を形成できる。更に、ヒンジに光遮蔽機能を持たせたことにより、ヒンジの近傍から照明カバー間の発光しない領域への光の漏れを防止し、見栄えを一層良くすることができる。
【０００６】
【発明の実施の形態】
本発明の一つの実施の形態に係る照明装置は、天井、壁等の対象物に取り付けられる光源と、その光源からの光を拡散させるために前記光源を覆うように配置される照明カバーであって、光を通すための大きい開口を形成したフレーム枠とその開口の光源とは反対側の端部を塞ぐように取り付けられた光拡散部材を備えた照明カバーと、前記対象物に取り付けられた固定フレームと、前記照明カバーのフレーム枠を、該フレーム枠の一端近傍を支点として旋回可能に、前記固定フレームに連結するヒンジと、前記フレーム枠を、前記支点からフレーム枠の他端方向に離れた位置で前記固定フレームに着脱可能に連結する開閉係止留め具を有する構成とし、更に、前記ヒンジは、支点Ｏを中心に互いに旋回可能に連結された第一ヒンジ板と第二ヒンジ板を有し、前記第一ヒンジ板は前記固定フレームに固定され、前記第二ヒンジ板は前記フレーム枠に固定されると共に、前記第一ヒンジ板及び第二ヒンジ板は前記フレーム枠の内側に配置されており、更に、前記第一ヒンジ板は、前記フレーム枠を開方向に旋回させた際に前記フレーム枠が通過するのを許容する切り欠きを備えると共にその切り欠きを除いた領域ではヒンジの支点からその支点に近い側のフレーム端部に到る領域を含む支点近傍において前記フレーム枠と固定フレームとの間を遮光する形状を有し、前記第二ヒンジ板は前記フレーム枠を閉位置とした時に前記第一ヒンジ板の切り欠きを塞いで遮光する形状を有しており、第一ヒンジ板と第二ヒンジ板によって光遮蔽機能を備えた光遮蔽構造を構成したものである。この構成により、開閉係止留め具を外したり、留めたりすることで照明カバーを容易に開閉でき、蛍光灯等の光源の交換作業等を容易に実施できる。また、ヒンジの近傍から、隣接した照明カバーのフレーム枠間に形成される隙間への光の漏れを防止し、見栄えを良くすることができる。
【０００７】
本発明の他の実施の形態に係る照明装置は、前記照明カバーを、複数個、互いに近接して且つ同一平面になるように配置するという構成としたものである。この構成により、隣接した照明カバー間の隙間をきわめて小さくでき、照明カバー間の発光しない領域（黒い線）をきわめて小さくでき、見栄えの良い全面一体形照明を形成できる。
【０００８】
本発明の更に他の実施の形態に係る照明装置は、前記照明カバーの前記フレーム枠に、少なくとも前記ヒンジの支点からその支点に近い側のフレーム端部に到る領域を除いて、隣接したフレーム枠との間を遮光する可撓性板状の遮光部材を取り付けるという構成としたものである。この構成により、隣接した照明カバーのフレーム枠間に形成される隙間への光の漏れを防止し、見栄えを良くすることができる。
【０００９】
本発明の更に他の実施の形態に係る照明装置は、前記第一ヒンジ板の端部近傍に、第一ヒンジ板に直角に且つフレーム枠と固定フレームの間に位置するように補助遮光板を設けるという構成としたものである。この構成により、隣接した照明カバーのフレーム枠間に形成される隙間への光の漏れを一層防止し、見栄えを良くすることができる。
【００１０】
本発明の更に他の実施の形態に係る照明装置は、前記ヒンジが、前記第一ヒンジ板と第二ヒンジ板を支点Ｏを中心として旋回可能に連結するピンを有しており、該ピンを前記第一ヒンジ板に固定すると共に前記第二ヒンジ板に形成しているピン穴に回転可能に挿入しており、更に、前記ピンには、前記第二ヒンジ板のピン穴に挿入される領域の側面に平坦面を形成してピンの直径よりも狭くした部分を形成すると共に、前記第二ヒンジ板には、前記ピン穴から外部に通じるよう、前記ピンの狭くした部分を通過させうる幅の溝を形成し、該溝を通して前記ピンを抜くことで第一ヒンジ板と第二ヒンジ板とを分離可能としたものである。この構成により、照明カバーの開閉のみならず、固定フレームからの取り外しも容易に実施でき、光源等のメンテナンス作業を一層容易に実施できる。
【００１１】
本発明の更に他の実施の形態に係る照明装置は、前記照明カバーのフレーム枠の内面を、該フレーム枠の開口の光源とは反対側の端部に形成する照明面に対してほぼ直角な平面と、それに続いて照明面に向かって広がる形状の傾斜面で構成したものであり、これにより、照明カバーの全面のほとんどを光拡散部材を通して光を照射する面（照明面）とすることができ、広い照明面を確保して、外観をよくすることができる。
【００１２】
本発明の更に他の実施の形態に係る照明装置は、前記照明カバーのフレーム枠の内面を、該フレーム枠の開口の光源とは反対側の端部に形成する照明面に対してほぼ直角な平面と、照明面に向かって広がる形状の傾斜面と、前記平面と傾斜面とを滑らかに結ぶ曲面とで構成したものであり、これにより、照明カバーの全面のほとんどを光拡散部材を通して光を照射する面（照明面）とすることができ、広い照明面を確保して、外観をよくすることができ、しかも、フレーム枠の内面に角がないので、照明面へ角の影が写ることがなく、一層外観を良くすることができる。
【００１３】
本発明の更に他の実施の形態に係る照明装置は、前記照明カバーのフレーム枠の内面を、該フレーム枠の開口の光源側の端部から、光源とは反対側の端部に形成する照明面に向かって滑らかに広がる形状の曲面若しくは平面で構成したものであり、これによっても、照明カバーの全面のほとんどを光拡散部材を通して光を照射する面（照明面）とすることができ、広い照明面を確保して、外観をよくすることができ、しかも、フレーム枠の内面に角がないので、照明面へ角の影が写ることがなく、一層外観を良くすることができる。
【００１５】
【実施例】
以下、図面に示す本発明の好適な実施例を説明する。図１は本発明を天井の面照明に適用した実施例による照明装置を示す概略斜視図であり、（ａ）はその照明装置の概略斜視図、（ｂ）は一つの照明カバーを開く途中の状態を示す概略斜視図、図２はその照明装置の一つの照明カバー及びその近傍を示す概略下面図、図３は図２のＡ−Ａ矢視概略断面図、図４は図３と同一部分を、照明カバーを開いた状態で示す概略断面図、図５は図２のＢ−Ｂ矢視概略断面図、図６は図５と同じ部分を照明カバー４を開いた状いた状態で示す概略断面図、図７は図５のＣ−Ｃ矢視概略断面図、図８は図２のＤ−Ｄ矢視概略断面図、図９は図８のＥ−Ｅ矢視概略断面図、図１０は図８のＦ−Ｆ矢視概略図である。全体を参照符号１で示す照明装置は、天井面２に取り付けられた多数の蛍光管からなる光源３と、その光源３を覆うように配置される照明カバー４と、その照明カバー４の背面側（光源側）に位置し、その照明カバー４を取り付けるための固定フレーム５等を備えている。照明カバー４は天井面全体が面照明を行うことができるよう、多数が近接配置されている。
【００１６】
照明カバー４は、光を通すための大きい開口６を形成したフレーム枠７と、そのフレーム枠７の開口の光源３とは反対側の端部（以下、先端という）に前記開口を塞ぐように設けられ、平坦な照明面を形成する光拡散部材８を有している。この実施例では光拡散部材８としては光拡散シート（詳細は後述する）が用いられている。フレーム枠７は全体の平面形状が正方形、長方形等の四角形状をなしている。そのフレーム枠７の外形寸法（各辺の長さ）は、特に制限するものではないが、或る程度大きいことが経済的に有利であり、例えば、１辺の長さ（長方形にあっては長辺の長さ）を１〜３ｍ程度とすることが好ましい。フレーム枠７の各辺は同一の断面形状に作られており、図５〜図９から良くわかるように、その内面を、フレーム枠７の先端７ａに張った光拡散シート８が形成する照明面にほぼ直角な平面７ｂと、それに続いて開口先端に向かって広がる形状の傾斜面７ｃで構成している。また、フレーム枠７の外面には、先端側に照明面にほぼ直角な平面７ｄを形成し、奥の方に光拡散シート８をクランプするためのクランプ溝７ｅを形成している。この構成により、光拡散シート８をフレーム枠７の先端７ａで囲まれた開口を塞ぐように張り、その端部をクランプ溝７ｅに導き、その上からクランプ用角パイプ１１を押し付けてネジ１２によりフレーム枠７に固定することで、光拡散シート８を取り付けることができ、その際、フレーム枠７の先端７ａで囲まれた開口を塞いだ部分の光拡散シート８に適当な張力を与えておくことで、この部分の光拡散シート８は平面を保ち、きわめて外観のよい平坦な照明面を形成できる。
【００１７】
また、フレーム枠７の先端領域に傾斜面７ｃを形成したことで、先端７ａの幅を極めて小さくでき、フレーム枠７の先端に張られた光拡散シート８のうち、照明に寄与しない領域をきわめて狭い幅とすることができる。しかも、光源からの光が矢印Ｇで示すように傾斜面７ｃに沿う方向にも照射されるため、照明カバー４を下から見た時に、照明カバー４の全面が発光しているように見え、また、傾斜面７ｃを形成したことで影になる部分がほとんどなく、このため照明面を見上げた時に背後のフレーム枠７の影が見えるということがほとんどない。かくして、その背後のフレーム枠７を良好に隠して、外観をよくすることができる。フレーム枠７の表面、特に内面には白色塗装を施しておく。これにより、フレーム枠７が光拡散シート８をすけて見えるということが一層なくなり、照明カバー４の照明面を一層均一として外観を良くすることができる。なお、フレーム枠７の内面の断面形状は、上記した実施例に限らず、種々変更可能である。すなわち、上記した実施例では、図１２（ａ）に示すように、フレーム枠７の内面を、光拡散シート８が形成する照明面にほぼ直角な平面７ｂと、それに続いて開口先端に向かって広がる形状の傾斜面７ｃで構成しているが、この代わりに、図１２（ｂ）に示すように、平面７ｂと傾斜面７ｃを、円弧面等の滑らかな曲面７ｈで結ぶ構成としてもよい。この構成とすると、平面７ｂと傾斜面７ｃの間に角がなくなり、このため、角が光拡散部材８に影を落とすということが生じない。更に、図１２（ｃ）、（ｄ）に示すように、フレーム枠７の内面を、光源側の端部から、光源とは反対側の端部に形成する照明面に向かって滑らかに広がる形状の曲面（例えば円弧面）７ｉ若しくは平面７ｊで構成することも可能であり、この場合にもフレーム枠内面に角がないので、角による影の発生を防止できる。
【００１８】
図５において、フレーム枠７の先端７ａの外側角部には光拡散シート８を損傷しないように小さい丸みを付けている。この丸みは、光拡散シート８を損傷しない限り極力小さくすることが、先端７ａ即ち照明に寄与しない領域の幅を狭くすることができるので好ましい。具体的な数値例としては、先端７ａの外側角部の丸みの半径を０．５〜２ｍｍ程度に、更に好ましくは１ｍｍ程度に選定し、先端７ａの幅（傾斜面７ｂの先端と外側の平面７ｄの幅）を１．５〜３ｍｍ程度に、更に好ましくは２ｍｍ程度に選定する場合を挙げることができ、これらの数値を採用することで外観のきわめて良い照明カバー４を構成できる。
【００１９】
フレーム枠７の材質は、必要な強度を持っている限り、金属、プラスチック等任意であるが、金属製（例えば、アルミ）の押抜型材を用いることが好ましい。例えば、フレーム枠７の各辺を押抜型材で作製し、端面を４５度に切断して突き合わせ、金属製のＬ型のコーナープレートを用いて連結して枠状に組み立てることでフレーム枠７を形成できる。この構成とすることで、フレーム枠７をねじれ等のない正確な寸法に製造、組立することができ、各辺が２ｍというような大型のフレーム枠７をも容易に製造できる。しかも、強度、剛性が大きいため、長期間に渡って安定して使用できる。
【００２０】
フレーム枠７に取り付ける光拡散シート８は、適度な透光性と隠蔽性を発揮しうる光拡散性のもので且つフレーム枠７に張って使用することができるよう適度な柔軟性、耐屈曲性を持ったものであれば任意であるが、なかでも、透光性の無機質繊維クロスに耐熱透光性樹脂シートを貼着してなる積層シートが、耐熱性、不燃性、防汚性にも優れているので好ましい。この種の積層シートにおいて、無機質繊維クロスとしては、ガラス繊維クロスが好ましく、耐熱透光性樹脂シートとしては、フッ素樹脂、テフロン樹脂、シリコン樹脂等が考えられるが、フッ素樹脂が好ましく、中でも軟質フッ素樹脂が最も好ましい。軟質フッ素樹脂としては、例えば、少なくとも一種の含フッ素単量体を含む単量体と分子内に二重結合とペルオキシ結合を共に有する単量体とを共重合させて製造した、分子内にペルオキシ基を含有し、かつガラス転移温度が室温以下である含フッ素共重合体からなる幹ポリマーに、フッ化ビニリデンをグラフト重合させて得た軟質フッ素樹脂を挙げることができる。このような軟質フッ素樹脂は、「セフラルソフト」（商標）としてセントラル硝子株式会社から市販されている（「プラスチックス」１９８８年３月号参照）。
【００２１】
更に、光拡散シート８として、ガラス繊維クロスに軟質フッ素樹脂を積層したものを用いる場合、その軟質フッ素樹脂内に中空ガラスビーズを含有させておくことが好ましい。特に、軟質フッ素樹脂に、樹脂１００重量部当たり０．５〜５重量部の中空ガラスビーズ、好ましくは屈曲率１．５〜２．１、特に１．５２〜１．５３の、平均粒度８〜１２μｍ程度の中空ガラスビーズを含有させた場合に、遮蔽性と透光性のバランスの良い積層シートが得られる。すなわち、中空ガラスビーズの割合が０．５重量部より少ないと、光拡散性が低くなり、遮蔽性が低下する。一方、中空ガラスビーズの割合が５重量部より多いと、透光性が悪くなると共に、フィルムの成形が困難になる。このように、ガラス繊維基布に中空ガラスビーズを含む軟質フッ素樹脂を積層した積層シートは、柔軟性、耐屈曲性、防汚性、耐熱性、光拡散性、不燃性に優れ、且つ透光率４０％以上、濁度９０％以上が得られ、これを光拡散シート８として用いると、光源を良好に隠して均一に柔らかく光る照明面を形成できると共に、耐熱性、不燃性に優れ、長期間安定して使用できるという利点が得られる。
【００２２】
図１〜図４において、照明カバー４を取り付けるための固定フレーム５は、フレーム枠７とほぼ同じ大きさの枠状に形成されたもので、吊り下げボルト１５によって天井２に固定されている。この固定フレーム５を構成する部材は特に限定されるものではないが、本実施例ではフレーム枠７と同様にアルミ製の押抜型材が用いられている。
【００２３】
図２〜図４において、固定フレーム５に照明カバー４を保持させるため、照明カバー４のフレーム枠７の向かい合った２辺で且つフレーム枠７の一端近傍に、点Ｏを支点とするヒンジ２０が取り付けられ、フレーム枠７のヒンジ２０を取り付けた側とは反対側に位置する辺に、係止、離脱可能な開閉係止留め具３０が配置されている。以下、ヒンジ２０及び開閉係止留め具３０を詳細に説明する。なお、以下の説明において、フレーム枠７の、ヒンジ支点Ｏを配置した側の端部を後端とし、その反対側を前端とする。
【００２４】
図５〜図７において、ヒンジ２０は固定フレーム５に固定された第一ヒンジ板２１と、フレーム枠７に固定された第二ヒンジ板２２と、第一ヒンジ板２１及び第二ヒンジ板２２を支点Ｏを中心として旋回するように連結するピン２３を有している。図７から良く分かるように第一ヒンジ板２１はその上端を折り曲げ、ねじ２４によって固定フレーム５に固定されている。一方、第二ヒンジ板２２にはＬ型部材２５が溶接接合されており、そのＬ型部材２５をねじ２６によってフレーム枠７に固定している。これらの第一ヒンジ板２１及び第二ヒンジ板２２はフレーム枠７の内側に配置されており、これによってフレーム枠７から外側に突出することがなく、フレーム枠７を左右に並べて配置する際のフレーム枠７、７の間の隙間２７の幅ｄを小さくできる。また、第一ヒンジ板２１及び第二ヒンジ板２２はフレーム枠７の内面の平面７ｂに近接して平行に配置されており、これにより光源３（図２参照）から光拡散シート８への光を極力邪魔しないようにしている。
【００２５】
図５、図６から良く分かるように、支点Ｏは、フレーム枠７の先端７ａに張った光拡散シート８に影を落とさないようにするため、光拡散シート８から適当に（３０〜５０ｍｍ程度）離して配置している。更に、この支点Ｏは、フレーム枠７を大きく開くためには、フレーム枠７の後端に極力近づけることが好ましいが、あまり近づけ過ぎるとフレーム枠７を旋回させて開いた時にフレーム枠７の開口６の先端７ａが矢印Ｈで示すように旋回した際の横方向への移動量が大きくなって、隣接したフレーム枠７にぶつかってしまう。そこで、先端７ａの横方向への移動量を適当に小さくするよう、支点Ｏはフレーム枠７の後端から適当に離しておく。なお、前後に隣接したフレーム枠７の間に形成する隙間２８の幅ｄは狭い方が照明面全体としての見栄えが良いが、あまり小さくすると、支点Ｏの位置の選定ができなくなる。そこで、通常は隙間２８の幅ｄを５〜１５ｍｍ程度に選定することが好ましい。
【００２６】
第一ヒンジ板２１及び第二ヒンジ板２２は、支点Ｏに配置するピン２３を支持するのみならず、支点Ｏからフレーム枠７の後端に到る領域を含む支点近傍においてフレーム枠７と固定フレーム５との間を遮光する光遮蔽構造を構成している。すなわち、第一ヒンジ板２１は支点Ｏよりもかなり前の位置からフレーム枠７の後端を越えた位置までの広い幅Ｗを有しており、且つ、フレーム枠７を図５に示す位置から図６に示す開位置まで９０°旋回させる時にフレーム枠７が通過するのを許容するよう円弧縁２１ａと垂直縁２１ｂと傾斜縁２１ｃで囲まれた切り欠きを形成している。また、第二ヒンジ板２２は図５に示すように、フレーム枠７を所定の取り付け位置とした時に第一ヒンジ板２１の切り欠きを塞いで遮光することができる形状としている。これによって、光源３からの光が支点Ｏの周辺から、その近傍の隙間２７に漏れ出すことを防止できる。後述するように、隙間２７は支点Ｏの近傍を除いて遮光部材４１によって遮光されるので、ヒンジ２０に設けた光遮蔽構造は、遮光部材４１を設けていない領域に対する遮光を行うために設けたものである。なお、この遮光を更に確実にするため、第一ヒンジ板２１の端部近傍に、第一ヒンジ板２１に直角に且つフレーム枠７と固定フレーム５の間に位置するよう補助遮光板（図２に破線４２で示す）を設けることが好ましい。第一ヒンジ板２１に形成されている垂直縁２１ｂは、フレーム枠７が図６に示す開位置まで旋回した時に、それ以上の旋回を阻止するように形成位置が定められている。かくして、第一ヒンジ板２１は、照明カバー４の開位置を所定位置に規制するストッパ機能を果たすことができ、これにより、照明カバー４が開き過ぎてトラブルを起こすということを防止できる
【００２７】
開閉係止留め具３０は、照明カバー４を固定フレーム５に近接した所定位置（図２に示す位置）に固定したり、その固定を解除したりするためのものである。この開閉係止留め具３０は、図８〜図１０に示すように、フレーム枠７に支持部材３１を介して取り付けられた係止ロッド３２と、固定フレーム５に保持され、係止ロッド３２に対して係止、離脱可能なラッチ部材３３を有している。このラッチ部材３３は、固定フレーム５に支持部材３４を介して保持された軸３５に旋回可能に保持されており、係止ロッド３２に係止するための引っ掛け部３３ａと、その反対側に傾斜して設けられたガイド部３３ｂと、開閉操作のためのレバー部３３ｃを有している。更に、ラッチ部材３３はコイルバネ３６によって、通常は、図８に実線で示す係止位置に保持されており、このラッチ部材３３のレバー部３３ｃを矢印で示すように引き下げることで係止ロッド３２から外すことができる。ラッチ部材３３のレバー部３３ｃは、図９、図１０から良く分かるように、フレーム枠７の外側に延び出し、隣接して配置したフレーム枠７、７間の隙間２８の上方に位置させている。これによって、隙間２８から適当な引っ掛け具を差し込み、その引っ掛け具でレバー部３３ｃを引っ掛けて引き下げることで、ラッチ部材３３を外すことができる。また、ラッチ部材３３を外した状態から係止ロッド３２に係止させるには、単に開状態のフレーム枠７を押し上げてゆけばよい。この操作により、フレーム枠７に保持させている係止ロッド３２が上昇し、ラッチ部材３３のガイド部３３ｂに接触してそのラッチ部材３３を旋回させ、係止ロッド３２がガイド部３３ｂの先端を通り過ぎた時点でラッチ部材３３がコイルバネ３６によって元の位置に戻り、これによって自動的に係止状態となる。なお、開閉係止留め具３０はこの構成に限らず、レバー部３３を押し上げることで係止を解除する構成とするとか、市販のラッチ錠を利用したもの等に変更してもよい。
【００２８】
前記したように、多数の照明カバー４は前後、左右に近接して配置されるが、その際の照明カバー４間の隙間２７、２８の幅は、ラッチ部材３３を引き下げるための引っ掛け具を挿入することができ、且つ照明カバー４を支障なく開くことができる範囲で極力小さく設定する。具体的には、５〜１５ｍｍ程度が好ましい。なお、縦、横の隙間２７、２８の幅は同じでも、同じでなくてもよいが、同じとした方が全体としての見栄えがよいので好ましい。
【００２９】
各照明カバー４間に形成される隙間２７、２８は光拡散シート８で形成された照明面のように発光せず、このため天井面に黒い線状に現れる。ところが、この隙間２７、２８に光源３からの光が不規則に漏れると、隙間２７、２８の明るさが場所によって異なり、天井面を見た場合の見栄えを悪くする。そこで、この隙間２７、２８への光の漏れを防止しするため、各照明カバー４のフレーム枠７の上面に、板材やシート等の板状の遮光部材４１を、外側に突出するように取り付けている。この遮光部材４１の突出長さは、隣接したフレーム枠７、７にそれぞれ取り付けているものが、図５、図７等に示すように重なり合って良好な遮光効果を発揮できるように長く設定されており、且つフレーム枠７の開閉時に支障を生じないように容易に変形しうるよう可撓性材料で作られている。遮光部材４１には、例えば、ごむ板、プラスチックシート等が用いられる。
【００３０】
遮光部材４１は、フレーム枠７の全周のうち、少なくともフレーム枠７の旋回中心となる支点Ｏから後端に到る領域を除いて配置される。図２において、隙間２７、２８のうちハッチングを施した領域は、遮光部材４１を配置した領域である。ここで、フレーム枠７の旋回中心となる支点Ｏから後端に到る領域に遮光部材４１を配置しなかったのは次の理由による。すなわち、遮光部材を、フレーム枠７のヒンジ２０を取り付けた辺の全長に渡って取り付けておくと、支点Ｏを中心としてフレーム枠７を旋回させた時、支点Ｏの前と後ろでは移動方向が逆となる（支点Ｏの前を下方に旋回させた時、支点Ｏの後ろでは上方に旋回する）ので、そのフレーム枠７に取り付けている遮光部材４１は支点Ｏの近傍で、隣接したフレーム枠７に取り付けている遮光部材４１に干渉して捻じれてしまう。この捻じれを防止するため、支点Ｏから後端に到る領域には遮光部材を設けていない。なお、この部分での光の漏れを防止するため、前記したようにヒンジ２０に遮光機能を持たせている。
【００３１】
上記構成の照明装置１では、図１（ａ）に示すように、多数の照明カバー４が近接して配置されており、光源からの光を照明カバー４の光拡散シート８が拡散させることで照明カバー４の全面が柔らかく発光したような状態となり、広い面照明を形成している。ここで、各照明カバー４の間には隙間２７、２８が存在しているが、これらの隙間はきわめて小さいので、照明面に格子状の細い線が見えるのみで、あまり目立たない。しかも、これらの隙間２７、２８には遮光構造を設けているので、隙間２７、２８によって形成される細い線に明暗がない。かくして、きわめて見栄えのよい面照明を提供できる。
【００３２】
次に、光源３を構成する蛍光灯等の交換等のために照明カバー４を開くには、照明カバー４間の隙間２８から引っかけ具を差し込んで、ラッチ部材３３のレバー部３３ｃ（図８参照）を引き下げ、ラッチ部材３３を係止ロッド３２から外す。これにより、照明カバー４は支点Ｏを中心として旋回可能となるので、図３に示すように、照明カバー４を下方に旋回させる。これにより、光源３の下方を大きく開いて、蛍光管交換等の作業を行うことができる。開いた状態の照明カバー４を閉じるには、単に照明カバー４を上方に旋回させ、元の位置に戻せば良い。かくして、簡単な操作で照明カバー４を開閉できる。また、開閉操作を行う時、作業者は照明カバー４の開閉係止留め具３０を取り付けた部分で照明カバー４を支えておればよいので、一人で作業を行うことができる。
【００３３】
なお、上記実施例では、照明カバー４を固定フレーム５に対して単に旋回可能に保持させた構成としているが、必要に応じ、照明カバー４のフレーム枠７と固定フレーム５との間に、照明カバー４を下方に旋回させて開く際の旋回速度を緩和させる緩衝装置を設ける構成としてもよい。このような緩衝装置を設けておくと、照明カバー４を開く際に不用意に手を離した時などに、照明カバー４が自重で急激に下方に旋回し、停止位置に衝突するということを防止でき、安全に開閉動作を行うことができる。緩衝装置としては、ダッシュポット、ばね等を適宜用いることができる。
【００３４】
また、上記実施例では、照明カバー４を固定フレーム５にヒンジ２０によって単に旋回可能に保持させるのみで、容易に取り外し可能とはしていないが、ヒンジ２０を構成する第一ヒンジ板２１と第二ヒンジ板２２の連結を容易に外すことができる構成とし、照明カバー４を容易に取り外し可能としてもよい。図１３、図１４はそのように構成した実施例のヒンジ部分を示すものである。この実施例で用いたヒンジ２０Ａは、固定フレーム（図示せず）に連結する第一ヒンジ板２１Ａと照明カバー４のフレーム枠７に固定する第二ヒンジ板２２Ａをピン２３Ａで旋回可能に連結するものではあるが、ここで用いるピン２３Ａは第一ヒンジ板２１Ａに固定されると共に両側面に平坦面２３Ａａを備えている。一方、第二ヒンジ板２２Ａは第一ヒンジ板２１Ａに面する位置に、ピン２３Ａを回転自在に挿入させるピン穴２２Ａａとピン２３Ａの狭い部分を通過させることができる溝２２Ａｂを備えている。そして、溝２２Ａｂの形成方向は、図１３（ａ）に示すように、フレーム枠体７を水平状態とした通常の取り付け状態では水平となっているが、図１３（ｂ）及び図１４（ａ）に示すように、フレーム枠体７を垂直状態に開いた時には溝２２Ａｂが下向きとなるように定めている。かくして、ピン穴２２Ａａにピン２３Ａを挿入させた状態では、照明カバー４をピン２３Ａを中心として旋回させて開閉することができ、また、照明カバー４を垂直状態に開いた状態では、図１４（ｄ）に示すように、照明カバー４を上に持ち上げることにより、溝２２Ａｂを通してピン２３Ａを抜き、照明カバー４を取り外すことができる。このように構成しておけば、照明カバーの開閉のみならず、取り外しも容易にでき、光源等のメンテナンス作業を一層容易に実施できる。
【００３５】
更に上記実施例では、照明カバー４の照明面を形成するための光拡散部材として光拡散シート８を用いているが、光拡散シート８に代えて、ガラス板、プラスチック板等の光拡散板を用いて良い。また、光拡散シート８、光拡散板は、単に光源３からの光を拡散するためのものに限らず、絵や模様を描き、意匠的効果を発揮させるようにしたものでもよい。
【００３６】
更に、上記実施例では、照明カバー４の下端に形成する照明面を平坦面とし、且つ多数の照明カバー４を縦横に配置して広い面照明を構成する場合を説明したが、本発明の照明装置はこの場合に限らず、単に複数の照明カバー４を１列に配置するとか、場合によっては１個の照明カバーのみを用いる場合にも適用可能である。１列或いは１個の照明カバーを用いる場合にも、その照明カバーを、周囲の壁面等に対してきわめて近接させて配置することができ、外観の良い照明面を形成できる。更に、照明カバー４の下端に形成する照明面は平坦面に限らず、傾斜面、屈曲面、曲面等としてもよい。例えば、図１１に示すように、天井２に多数の照明カバー４を並べて面照明の形成し、その面照明の端部と壁５０の間のコーナー部にも光源３を配置した場合において、そのコーナー部の光源３を覆う位置にも本発明の実施例に係る照明カバー４Ａを取り付けることができる。この照明カバー４Ａは側面から見た形状が屈曲しており、その一端近傍の支点Ｏを中心として旋回可能にヒンジ２０で固定フレーム５に連結され、他端を開閉係止留め具３０によって壁５０に着脱可能に連結されている。この構成の照明カバー４Ａも、支点Ｏを中心として大きく開くことができ、開閉操作を容易に実施できる。なお、この照明カバー４Ａでは照明面が直線を屈曲させた形状となっているが、これに代えて円弧状としてもよい。
【００３７】
【発明の効果】
以上に説明したように本発明の照明装置は、照明カバーを、天井面等に設けている固定フレームに対して、一端近傍を支点として旋回可能に保持させ、且つその支点から離れた位置を着脱可能な開閉係止留め具で連結する構成としたことにより、照明カバーを所定位置に取り付けた状態で開閉係止留め具を外すことでその照明カバーを一端近傍の支点を中心として旋回させて開くことができ、また、逆に照明カバーを開いた状態から所定位置に旋回させて戻し、開閉係止留め具を係止させることで照明カバーを所定位置に取り付けることができ、一人でも容易に照明カバーを開閉できるという効果を有している。また、照明カバーの旋回中心を端部近傍としたことで、照明カバーを大きく開くことができると共にフレーム枠の支点を配置した一端の移動量を小さくでき、複数の照明カバーを並べて面照明を形成する際に、隣接した照明カバー間の隙間をきわめて小さくでき、照明カバー間の発光しない領域（黒い線）をきわめて小さくして、見栄えの良い全面一体形照明を形成できるといった効果も有している。更に、照明カバーを固定フレームに対して旋回可能に保持させるためのヒンジに光遮蔽機能を持たせたことで、照明カバー間の隙間へのヒンジ近傍からの光の漏れを防止でき、ヒンジ近傍の照明カバー間の隙間に遮光部材を設けなくても、光の漏れを防止できる。このため、照明カバー間の隙間のうち、遮光部材を取り付けにくいヒンジ近傍領域を除いて他の領域のみに遮光部材を取り付けることで、隣接した照明カバー間の隙間からの光の漏れを防止でき、見栄えを一層良好とできる。
【図面の簡単な説明】
【図１】本発明を天井の面照明に適用した実施例による照明装置を示す概略斜視図であり、（ａ）はその照明装置の概略斜視図、（ｂ）は一つの照明カバーを開く途中の状態を示す概略斜視図
【図２】図１に示す照明装置の一つの照明カバー及びその近傍を示す概略下面図
【図３】図２のＡ−Ａ矢視概略断面図
【図４】図３と同一部分を、照明カバーを開いた状態で示す概略断面図
【図５】図２のＢ−Ｂ矢視概略断面図
【図６】図５と同じ部分を照明カバー４を開いた状いた状態で示す概略断面図
【図７】図５のＣ−Ｃ矢視概略断面図
【図８】図２のＤ−Ｄ矢視概略断面図
【図９】図８のＥ−Ｅ矢視概略断面図
【図１０】図８のＦ−Ｆ矢視概略図
【図１１】本発明の他の実施例を示す概略断面図
【図１２】（ａ）、（ｂ）、（ｃ）、（ｄ）はそれぞれ、フレーム枠体の断面の例を示す概略断面図
【図１３】（ａ）は、照明カバーを取り付けるヒンジの変形例を、照明カバーを水平状態で示す概略正面図
（ｂ）は、（ａ）と同じ部分を、照明カバーを垂直状態で示す概略正面図
【図１４】（ａ）は図１３（ｂ）に示す状態のヒンジの主要部分の概略正面図
（ｂ）は（ａ）のＧ−Ｇ矢視断面図
（ｃ）は第一ヒンジ板２１Ａ及びピン２３Ａを矢印Ｈ−Ｈ方向に見た正面図
（ｄ）は（ａ）と同じ部分を、第二ヒンジ板２２Ａを第一ヒンジ板２１Ａから外した状態で示す概略正面図
【符号の説明】
１  照明装置
２  天井
３  光源
４  照明カバー
５  固定フレーム
６  開口
７  フレーム枠
７ａ  先端
７ｂ  平面
７ｃ  傾斜面
７ｄ  平面
７ｅ  クランプ溝
８  光拡散シート
１１  クランプ用角パイプ
１２  ネジ
２０  ヒンジ
２１  第一ヒンジ板
２２  第二ヒンジ板
２３  ピン
２７、２８  隙間
３０  開閉係止留め具
３２  係止ロッド
３３  ラッチ部材
３５  軸
３６  コイルバネ
４１  遮光部材
【図１】
0003903718.tif 000002
【図２】
0003903718.tif 000003
【図３】
0003903718.tif 000004
【図４】
0003903718.tif 000005
【図５】
0003903718.tif 000006
【図６】
0003903718.tif 000007
【図７】
0003903718.tif 000008
【図８】
0003903718.tif 000009
【図９】
0003903718.tif 000010
【図１０】
0003903718.tif 000011
【図１１】
0003903718.tif 000012
【図１２】
0003903718.tif 000013
【図１３】
0003903718.tif 000014
【図１４】
0003903718.tif 000015